【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
液体吸収性素材が積層されてなる積層体を前記積層体の厚さ方向に圧縮して吸収体を製造する装置であって、
搬送方向に沿って送り込まれる前記積層体を、互いの外周面で挟圧しながら前記搬送方向に送り出すように回転する一対の回転部材と、
前記一対の回転部材のうちの少なくとも一方の回転部材の前記外周面に突出して設けられた複数の線状の突部と、を有し、
前記複数の線状の突部のうちで、前記回転部材の回転軸に沿うＣＤ方向に隣り合う突部同士は、前記ＣＤ方向に関して挟まれた領域を前記外周面に区画し、
区画された前記領域は、前記回転部材の回転方向の上流側に向かうに従って前記ＣＤ方向の大きさが小さくなった先細り形状の領域部分を有し、
前記先細り形状の領域部分の先端部において、前記隣り合う突部同士は、互いの間に隙間を介して対向しており、
前記一対の回転部材は、それぞれ断面円形形状のロールであり、
前記回転方向の位置において前記ロール同士が最も接近する最接近位置よりも上流側の位置において、前記先細り形状の前記領域部分の全域が前記積層体に覆われるような大きさに、当該領域部分の前記回転方向の大きさは設定されていることを特徴とする吸収性物品に係る吸収体の製造装置。
【請求項２】
請求項１に記載の吸収性物品に係る吸収体の製造装置であって、
前記液体吸収性素材は、液体吸収性樹脂粒状物を有し、
前記隙間の前記ＣＤ方向の大きさは、前記液体吸収性樹脂粒状物が前記隙間を前記回転方向に通過可能な大きさに設定されていることを特徴とする吸収性物品に係る吸収体の製造装置。
【請求項３】
請求項１に記載の吸収性物品に係る吸収体の製造装置であって、
前記複数の線状の突部のうちの幾つかの突部は、互いに協同して、実質的に閉じた領域を前記外周面に区画し、
前記実質的に閉じた領域を区画する場合の前記隙間とは、
前記厚さ方向に圧縮後の前記積層体において前記隙間に対応する部分の厚さが、前記外周面によって圧縮される部分の厚さよりも小さくなるような隙間であり、
前記一対の回転部材は、それぞれ断面円形形状のロールであり、
前記ロール同士が最も接近する最接近位置よりも前記回転方向の上流側の位置において、前記実質的に閉じた領域の全域が前記積層体に覆われるような大きさに、当該実質的に閉じた領域の前記回転方向の大きさは設定されていることを特徴とする吸収性物品に係る吸収体の製造装置。
【請求項４】
請求項１乃至３の何れかに記載の吸収性物品に係る吸収体の製造装置であって、
前記突部は、前記回転方向に進むに従って前記ＣＤ方向の位置が変化した波状突部とされており、
前記波状突部は、前記ＣＤ方向の一方側に飛び出した山部と、前記ＣＤ方向の他方側に飛び出した谷部とを有し、
前記ＣＤ方向に隣り合う前記波状突部同士は、一方の波状突部における山部と他方の波状突部における谷部とで最も接近しており、最も接近した位置に前記隙間が存在していることを特徴とする吸収性物品に係る吸収体の製造装置。
【請求項５】
請求項１乃至４の何れかに記載の吸収性物品に係る吸収体の製造装置であって、
前記隙間の前記ＣＤ方向の大きさは、０．５ｍｍ〜２．０ｍｍであり、
前記外周面からの前記突部の突出高さは、０．３ｍｍ〜０．７ｍｍであり、
前記突部の前記ＣＤ方向の大きさは、１．０ｍｍ〜１．５ｍｍであることを特徴とする吸収性物品に係る吸収体の製造装置。
【請求項６】
請求項１乃至５の何れかに記載の吸収性物品に係る吸収体の製造装置であって、
前記積層体は、被覆シートによって被覆されていることを特徴とする吸収性物品に係る吸収体の製造装置。
【請求項７】
請求項６に記載の吸収性物品に係る吸収体の製造装置であって、
前記被覆シートは、熱可塑性の接着剤で前記積層体に接合されており、
前記回転部材を加熱するヒーターを有することを特徴とする吸収性物品に係る吸収体の製造装置。
【請求項８】
液体吸収性素材が積層されてなる積層体を前記積層体の厚さ方向に圧縮して吸収体を製造する方法であって、
搬送方向に沿って前記積層体を搬送することと、
前記搬送することによって前記搬送方向に沿って送り込まれる前記積層体を、回転する一対の回転部材の互いの外周面で挟圧しながら前記搬送方向に送り出すことと、を有し、
前記一対の回転部材のうちの少なくとも一方の回転部材の外周面には、複数の線状の突部が突出して設けられており、
前記複数の線状の突部のうちで、前記回転部材の回転軸に沿うＣＤ方向に隣り合う突部同士は、前記ＣＤ方向に関して挟まれた領域を前記外周面に区画し、
区画された前記領域は、前記回転部材の回転方向の上流側に向かうに従って前記ＣＤ方向の大きさが小さくなった先細り形状の領域部分を有し、
前記先細り形状の領域部分の先端部において、前記隣り合う突部同士は、互いの間に隙間を介して対向しており、
前記一対の回転部材は、それぞれ断面円形形状のロールであり、
前記回転方向の位置において前記ロール同士が最も接近する最接近位置よりも上流側の位置において、前記先細り形状の前記領域部分の全域が前記積層体に覆われるような大きさに、当該領域部分の前記回転方向の大きさは設定されていることを特徴とする吸収性物品に係る吸収体の製造方法。
【手続補正２】
【補正対象書類名】明細書
【補正対象項目名】０００８
【補正方法】変更
【補正の内容】
【０００８】
上記目的を達成するための主たる発明は、
液体吸収性素材が積層されてなる積層体を前記積層体の厚さ方向に圧縮して吸収体を製造する装置であって、
搬送方向に沿って送り込まれる前記積層体を、互いの外周面で挟圧しながら前記搬送方向に送り出すように回転する一対の回転部材と、
前記一対の回転部材のうちの少なくとも一方の回転部材の前記外周面に突出して設けられた複数の線状の突部と、を有し、
前記複数の線状の突部のうちで、前記回転部材の回転軸に沿うＣＤ方向に隣り合う突部同士は、前記ＣＤ方向に関して挟まれた領域を前記外周面に区画し、
区画された前記領域は、前記回転部材の回転方向の上流側に向かうに従って前記ＣＤ方向の大きさが小さくなった先細り形状の領域部分を有し、
前記先細り形状の領域部分の先端部において、前記隣り合う突部同士は、互いの間に隙間を介して対向しており、
前記一対の回転部材は、それぞれ断面円形形状のロールであり、
前記回転方向の位置において前記ロール同士が最も接近する最接近位置よりも上流側の位置において、前記先細り形状の前記領域部分の全域が前記積層体に覆われるような大きさに、当該領域部分の前記回転方向の大きさは設定されていることを特徴とする吸収性物品に係る吸収体の製造装置である。
また、
液体吸収性素材が積層されてなる積層体を前記積層体の厚さ方向に圧縮して吸収体を製造する方法であって、
搬送方向に沿って前記積層体を搬送することと、
前記搬送することによって前記搬送方向に沿って送り込まれる前記積層体を、回転する一対の回転部材の互いの外周面で挟圧しながら前記搬送方向に送り出すことと、を有し、
前記一対の回転部材のうちの少なくとも一方の回転部材の外周面には、複数の線状の突部が突出して設けられており、
前記複数の線状の突部のうちで、前記回転部材の回転軸に沿うＣＤ方向に隣り合う突部同士は、前記ＣＤ方向に関して挟まれた領域を前記外周面に区画し、
区画された前記領域は、前記回転部材の回転方向の上流側に向かうに従って前記ＣＤ方向の大きさが小さくなった先細り形状の領域部分を有し、
前記先細り形状の領域部分の先端部において、前記隣り合う突部同士は、互いの間に隙間を介して対向しており、
前記一対の回転部材は、それぞれ断面円形形状のロールであり、
前記回転方向の位置において前記ロール同士が最も接近する最接近位置よりも上流側の位置において、前記先細り形状の前記領域部分の全域が前記積層体に覆われるような大きさに、当該領域部分の前記回転方向の大きさは設定されていることを特徴とする吸収性物品に係る吸収体の製造方法である。
本発明の他の特徴については、本明細書及び添付図面の記載により明らかにする。